(57)【要約】【課題】ランダムノイズによる基準黒レベル信号の劣化を抑えるのに好適な撮影装置が無かった。【解決手段】有効画素領域とＯＰＢ画素領域を有する撮像素子と、ＯＰＢ画素領域の画素より出力されるＯＰＢ画素信号を複数回Ａ／Ｄ変換する変換手段と、Ａ／Ｄ変換された複数回分のＯＰＢ画素信号を加算する加算手段と、加算手段により加算されたＯＰＢ画素信号の平均レベルを計算し、計算された平均レベルに基づいて、有効画素領域の画素より出力される有効画素信号の黒レベルを補正するための基準黒レベル信号を取得する基準黒レベル信号取得手段とを備える撮影装置を提供する。【選択図】図３
2015104102.tif 000002
【特許請求の範囲】
【請求項１】
有効画素領域とオプティカルブラック（以下、「ＯＰＢ」と記す。）画素領域を有する撮像素子と、
前記ＯＰＢ画素領域の画素より出力されるＯＰＢ画素信号を複数回Ａ／Ｄ変換する変換手段と、
Ａ／Ｄ変換された複数回分のＯＰＢ画素信号を加算する加算手段と、
前記加算手段により加算されたＯＰＢ画素信号の平均レベルを計算し、計算された平均レベルに基づいて、前記有効画素領域の画素より出力される有効画素信号の黒レベルを補正するための基準黒レベル信号を取得する基準黒レベル信号取得手段と、
を備える、
撮影装置。
【請求項２】
前記基準黒レベル信号に基づいて前記有効画素信号の黒レベルを補正する黒レベル補正手段
を備える、
請求項１に記載の撮影装置。
【請求項３】
所定の撮影条件が満たされるか否かを判定する判定手段
を備え、
前記所定の撮影条件が満たされない場合には、
前記変換手段は、
前記ＯＰＢ画素信号を一回だけＡ／Ｄ変換し、
前記基準黒レベル信号取得手段は、
Ａ／Ｄ変換された一回分のＯＰＢ画素信号に基づいて前記基準黒レベル信号を取得する、
請求項１又は請求項２に記載の撮影装置。
【請求項４】
前記所定の撮影条件は、
前記撮像素子に設定されているＩＳＯ感度が所定感度を超えている、
前記撮像素子の温度が所定温度を超えている、
前記撮像素子の露光時間が所定時間を超えている、
の少なくとも１つを含む、
請求項３に記載の撮影装置。
【請求項５】
前記変換手段は、
前記撮像素子に設定されているＩＳＯ感度、該撮像素子の温度、該撮像素子の露光時間の少なくとも１つに応じてＯＰＢ画素信号のＡ／Ｄ変換の実施回数を変更する、
請求項１から請求項４の何れか一項に記載の撮影装置。
【請求項６】
有効画素領域とＯＰＢ画素領域を有する撮像素子より出力される画素信号を処理する画素信号処理方法において、
前記ＯＰＢ画素領域の画素より出力されるＯＰＢ画素信号を複数回Ａ／Ｄ変換する変換ステップと、
Ａ／Ｄ変換された複数回分のＯＰＢ画素信号を加算する加算ステップと、
前記加算ステップにて加算されたＯＰＢ画素信号の平均レベルを計算し、計算された平均レベルに基づいて、前記有効画素領域の画素より出力される有効画素信号の黒レベルを補正するための基準黒レベル信号を取得する基準黒レベル信号取得ステップと、
を含む、
画素信号処理方法。
【請求項７】
前記基準黒レベル信号に基づいて前記有効画素信号の黒レベルを補正する黒レベル補正ステップ
を含む、
請求項６に記載の画素信号処理方法。
【請求項８】
所定の撮影条件が満たされるか否かを判定する判定ステップ
を含み、
前記所定の撮影条件が満たされない場合には、
前記変換ステップにて、
前記ＯＰＢ画素信号が一回だけＡ／Ｄ変換され、
前記基準黒レベル信号取得ステップにて、
Ａ／Ｄ変換された一回分のＯＰＢ画素信号に基づいて前記基準黒レベル信号が取得される、
請求項６又は請求項７に記載の画素信号処理方法。
【発明の詳細な説明】
【技術分野】
【０００１】
本発明は、オプティカルブラック（以下、「ＯＰＢ」と記す。）画素より出力される画素信号を用いて有効画素の画素信号の黒レベルを補正する撮影装置及び該有効画素の画素信号の黒レベルを補正する画素信号処理方法に関する。
【背景技術】
【０００２】
撮影装置には、ＣＣＤ（Charge Coupled Device）イメージセンサやＣＭＯＳ（Complementary Metal Oxide Semiconductor）イメージセンサ等の撮像素子が搭載されている。撮像素子の各画素の出力には、発生不可避な固定パターンノイズが潜在的に含まれる。
【０００３】
この種の固定パターンノイズを除去するため、撮像素子の有効画素領域外にＯＰＢ画素を配置した構成が知られている。かかる構成では、ＯＰＢ画素より出力される画素信号が基準黒レベル信号として取得され、取得された基準黒レベル信号を用いて有効画素の画素信号の黒レベルが補正される。
【０００４】
しかし、ＯＰＢ画素は、撮像素子の大型化や有効画素領域の大面積化を達成するため、配置可能な数に制約がある。少数のＯＰＢ画素の画素信号を平均化して基準黒レベル信号を求めたとしても、基準黒レベル信号に含まれるランダムノイズの影響を十分に抑えることができない。そこで、特許文献１及び２に、ランダムノイズによる基準黒レベル信号の劣化を抑えることが可能な具体的構成例が記載されている。
【０００５】
例えば、画素の増幅トランジスタで発生するランダムノイズは、増幅トランジスタの容量、ゲート幅及びゲート長の積の平方根に反比例する。特許文献１に記載の撮影装置は、ＯＰＢ画素の画素信号に含まれるランダムノイズを抑圧するため、有効画素よりもＯＰＢ画素の増幅トランジスタの容量、ゲート幅及びゲート長を大きくしている。
【０００６】
特許文献２に記載の撮影装置は、ＯＰＢ画素ラインを複数回読み出してＯＰＢ画素ラインを擬似的に増やすことにより、ＯＰＢ画素の画素信号に含まれているノイズ（ランダムノイズを含む。）の検出・補正精度を向上させている。
【先行技術文献】
【特許文献】
【０００７】
【特許文献１】特開２０１３−１４５９０５号公報
【特許文献２】特開２００６−２５１４６号公報
【発明の概要】
【発明が解決しようとする課題】
【０００８】
しかし、特許文献１に記載の構成では、ＯＰＢ画素として割り当てられた画素に遮光膜を施すだけでなく、有効画素として割り当てられた画素に対して画素自体の構造を変えなければならない。また、高画素化に伴い画素密度が高くなるほどゲート幅及びゲート長を大きくすることが難しいという欠点を抱えている。また、特許文献２に記載の構成では、ノイズを検出し、検出されたノイズを補正するというノイズ検出・補正回路が必要となる。また、ＯＰＢ画素ラインを複数回読み出す必要があるため、処理に時間が掛かるという問題が指摘される。
【０００９】
本発明は上記の事情に鑑みてなされたものであり、その目的とするところは、ランダムノイズによる基準黒レベル信号の劣化を抑えるのに好適な撮影装置及び画素信号処理方法を提供することである。
【課題を解決するための手段】
【００１０】
本実施形態の撮影装置は、有効画素領域とＯＰＢ画素領域を有する撮像素子と、ＯＰＢ画素領域の画素より出力されるＯＰＢ画素信号を複数回Ａ／Ｄ変換する変換手段と、Ａ／Ｄ変換された複数回分のＯＰＢ画素信号を加算する加算手段と、加算手段により加算されたＯＰＢ画素信号の平均レベルを計算し、計算された平均レベルに基づいて、有効画素領域の画素より出力される有効画素信号の黒レベルを補正するための基準黒レベル信号を取得する基準黒レベル信号取得手段とを備える。
【００１１】
撮影装置は、基準黒レベル信号取得手段により取得された基準黒レベル信号に基づいて有効画素信号の黒レベルを補正する黒レベル補正手段を備える構成としてもよい。
【００１２】
撮影装置は、所定の撮影条件が満たされるか否かを判定する判定手段を備える構成としてもよい。この構成において、所定の撮影条件が満たされない場合には、変換手段は、ＯＰＢ画素信号を一回だけＡ／Ｄ変換する。また、基準黒レベル信号取得手段は、Ａ／Ｄ変換された一回分のＯＰＢ画素信号に基づいて基準黒レベル信号を取得する。
【００１３】
所定の撮影条件は、例えば、撮像素子に設定されているＩＳＯ感度が所定感度を超えている、撮像素子の温度が所定温度を超えている、撮像素子の露光時間が所定時間を超えている、の少なくとも１つを含む。
【００１４】
変換手段は、撮像素子に設定されているＩＳＯ感度、撮像素子の温度、撮像素子の露光時間の少なくとも１つに応じてＯＰＢ画素信号のＡ／Ｄ変換の実施回数を変更する構成としてもよい。
【００１５】
本実施形態の画素信号処理方法は、有効画素領域とＯＰＢ画素領域を有する撮像素子より出力される画素信号を処理する方法であり、ＯＰＢ画素領域の画素より出力されるＯＰＢ画素信号を複数回Ａ／Ｄ変換する変換ステップと、Ａ／Ｄ変換された複数回分のＯＰＢ画素信号を加算する加算ステップと、加算ステップにて加算されたＯＰＢ画素信号の平均レベルを計算し、計算された平均レベルに基づいて、有効画素領域の画素より出力される有効画素信号の黒レベルを補正するための基準黒レベル信号を取得する基準黒レベル信号取得ステップとを含む。
【発明の効果】
【００１６】
本実施形態によれば、ランダムノイズによる基準黒レベル信号の劣化を抑えるのに好適な撮影装置及び画素信号処理方法が提供される。
【図面の簡単な説明】
【００１７】
【図１】本発明の実施形態の撮影装置の構成を示すブロック図である。
【図２】本発明の実施形態の撮影装置に備えられる撮像素子の撮像面の構成を概略的に示す図である。
【図３】本発明の実施形態の撮影装置による画像生成フローを示す図である。
【発明を実施するための形態】
【００１８】
以下、本発明の実施形態の撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００１９】
［撮影装置１の構成］
図１は、本実施形態の撮影装置１の構成を示すブロック図である。図１に示されるように、撮影装置１は、撮影レンズ系１０（撮影レンズ１１及び１２）を備えている。撮影レンズ１１と撮影レンズ１２との間には絞り１３が配置されている。撮影レンズ系１０の後方には、ミラー１４が配置されている。ミラー１４はハーフミラーであり、ハーフミラー面が撮影レンズ系１０の光軸ＡＸに対して約４５°をなす姿勢で配置されている。
【００２０】
被写体からの光束（被写体光束）は、撮影レンズ系１０を透過してミラー１４に入射される。ミラー１４の後方には、ミラー１４側から順に、フォーカルプレーンシャッタ１５、撮像素子１６が配置されている。ミラー１４の上方には、ミラー１４側から順に、拡散板（焦点板又はピント板）１８、ペンタプリズム１７が配置されている。
【００２１】
ミラー１４に入射された被写体光束の一部はミラー１４により反射され、拡散板１８を介してペンタプリズム１７に入射される。拡散板１８は、撮像素子１６の撮像面と等価な位置に配置されている。そのため、拡散板１８には、撮影レンズ系１０を通過した被写体光束が結像する。ペンタプリズム１７は、複数の反射面を持ち、拡散板１８に結像して入射した被写体像を各反射面で反射させることで正立像とし、接眼レンズ１９に向けて射出する。接眼レンズ１９は、拡散板１８上に結像されてペンタプリズム１７により正立化された被写体像を、撮影者の観察に適する虚像に再結像する。これにより、撮影者は、接眼レンズ１９を覗くことで被写体像を観察することができる。
【００２２】
操作部材３２には、電源スイッチやレリーズスイッチ、撮影モードスイッチ、ズームスイッチなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ（Central Processing Unit）３１は電源供給後、所定のメモリ領域（不図示）にアクセスして制御プログラムを読み出してワークエリアにロードし、ロードされた制御プログラムを実行することにより、撮影装置１全体の制御を行う。
【００２３】
ＣＰＵ３１は、ＴＴＬ（Through The Lens）露出計等の測光センサ２６で測定された測光値に基づき適正露出が得られるように、絞り駆動回路２２を介して絞り１３を駆動制御する。状態表示装置３３（例えばＬＣＤ（Liquid Crystal Display））には、撮影モードやその時点での適正な露光時間、Ｆ値等が表示される。
【００２４】
レリーズスイッチが半押し操作されると、ＣＰＵ３１は、ＡＦ（Autofocus）センサ２５の検出結果に基づきレンズ制御回路２１を介して、光軸ＡＸ上における撮影レンズ１１と撮影レンズ１２の位置及び位置関係を制御する。これにより、撮影レンズ系１０の合焦状態が調整される。次いで、レリーズスイッチが全押し操作されると、ＣＰＵ３１は、シャッタ駆動回路２４を介してフォーカルプレーンシャッタ１５を駆動制御すると共にミラー１４をクイックリターンさせる。すなわち、ＣＰＵ３１は、フォーカルプレーンシャッタ１５の先膜走行開始直前から後幕走行終了直後の期間に限り、ミラー駆動回路２３を介してミラー１４をアップすることにより、撮影レンズ系１０の光軸ＡＸと平行な光路からミラー１４を退避させる。
【００２５】
撮影レンズ系１０を透過した被写体光束は、フォーカルプレーンシャッタ１５が開いている期間、撮像素子１６の撮像面上で結像される。撮像素子１６は、例えばＣＣＤイメージセンサやＣＭＯＳイメージセンサであり、撮像面上の各画素で結像した光学像を光量に応じた電荷として蓄積する。撮像素子１６は、蓄積された電荷をフローティングディフュージョンアンプにて電圧（ここでは「画素信号」と記す。）に変換し、変換された画素信号をＡ／Ｄ変換回路２７に出力する。Ａ／Ｄ変換回路２７は、入力された画素信号をＡ／Ｄ変換してＤＳＰ（Digital Signal Processor）４１に出力する。
【００２６】
ＤＳＰ４１は、撮像素子１６の電荷蓄積動作及び画素信号の読み出し動作を制御すると共に、Ａ／Ｄ変換回路２７より入力される画素信号に対して所定の信号処理を施す。具体的には、ＤＳＰ４１は、Ａ／Ｄ変換回路２７より入力される画素信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ４２は、例えば、ＤＳＰ４１による処理の実行時、処理データの一時的な保存場所として用いられる。
【００２７】
カードインタフェース４３のカードスロットにはメモリカード５０が着脱可能に装填される。ＤＳＰ４１は、カードインタフェース４３を介してメモリカード５０と通信可能である。ＤＳＰ４１は、生成された圧縮画像信号（撮影画像データ）をメモリカード５０（又は撮影装置１に備えられる不図示の内蔵メモリ）に保存する。
【００２８】
また、ＤＳＰ４１は、Ｙ／Ｃ分離後の信号に所定の信号処理を施して、フレームメモリ（不図示）にフレーム単位でバッファリングする。ＤＳＰ４１は、バッファリングされた信号を所定のタイミングで各フレームメモリから掃き出して所定のフォーマットのビデオ信号に変換し、モニタインタフェース４４を介してＬＣＤ制御回路４５に出力する。ＬＣＤ制御回路４５は、ＤＳＰ４１より入力される撮影画像データを基に液晶を変調制御すると共にバックライト４７を発光制御する。これにより、被写体の撮影画像がＬＣＤ４６の表示画面に表示される。ユーザは、適正なピントで撮影された適正な輝度のリアルタイムのスルー画をＬＣＤ４６の表示画面を通じて視認することができる。
【００２９】
［撮像面の画素配置］
図２は、撮像素子１６の撮像面の構成を概略的に示す図である。図２に示されるように、撮像素子１６の撮像面上の画素領域は、有効画素が配列された有効画素領域１６Ａと、ＯＰＢ画素が配列されたＯＰＢ画素領域１６Ｂに大別される。ＯＰＢ画素は、有効画素領域１６Ａに配列された有効画素と同一構造の画素に遮光膜（例えばアルミ遮光膜）を被膜したものであり、外光から完全に遮蔽されている。ＯＰＢ画素領域１６Ｂは、撮影画像中に黒点として現れないように有効画素領域外に配置されている。なお、本実施形態において、ＯＰＢ画素領域１６Ｂは、矩形の有効画素領域１６Ａの四辺を囲う領域となっているが、別の実施形態では、有効画素領域１６Ａの一辺だけ又は二辺だけ又は三辺だけに接する領域であってもよい。
【００３０】
［画像生成フロー］
有効画素の画素信号（以下、「有効画素信号」と記す。）の黒レベルは、ＯＰＢ画素より出力される画素信号（以下、「ＯＰＢ画素信号」と記す。）を用いて補正される。以下、黒レベルの補正処理を含む画像生成フローの詳細を説明する。図３は、本実施形態の撮影装置１による画像生成フローを示す。図３に示される画像生成フローは、レリーズスイッチが全押しされた時点で開始される。
【００３１】
［図３のＳ１１（露光の開始）］
本処理ステップＳ１１では、設定された条件下で撮像素子１６の露光が開始される。設定される条件には、例えば、露光時間、Ｆ値、ＩＳＯ感度等が挙げられる。これらの条件は、ＡＥ（Automatic Exposure）プログラムに従い自動で又はユーザによる操作部材３２の操作に応じて設定される。
【００３２】
［図３のＳ１２（露光の終了）］
本処理ステップＳ１２では、設定された条件下での撮像素子１６の露光が終了される。
【００３３】
［図３のＳ１３（撮影条件の判定）］
本処理ステップＳ１３では、所定の撮影条件が満たされるか否かが判定される。ここで判定される撮影条件には、例えば、次の３つの条件のうち少なくとも１つの条件が含まれる。
・撮像素子１６に設定されているＩＳＯ感度が所定感度を超えている。
・撮像素子１６の温度が所定温度を超えている。
・撮像素子１６の露光時間が所定時間を超えている。
なお、撮像素子１６の温度は、撮像素子１６の基板に取り付けられた温度センサ２８の出力レベルに基づいて検知される。
【００３４】
［図３のＳ１４（複数回のＡ／Ｄ変換）］
ランダムノイズは、撮像素子１６のＩＳＯ感度が高かったり、撮像素子１６の温度が上昇したり、撮像素子１６の露光時間が長秒化したりするほど大きくなる。例えば、撮像素子１６のＩＳＯ感度が２倍になるとランダムノイズも約２倍に増加する。
【００３５】
本処理ステップＳ１４は、図３の処理ステップＳ１３（撮影条件の判定）にて所定の撮影条件が満たされると判定された場合（処理ステップＳ１３でＹＥＳ判定であり、例えばＩＳＯ感度１６００以上の場合）に実行される。具体的には、本処理ステップＳ１４では、Ａ／Ｄ変換回路２７が、撮像素子１６より入力されるＯＰＢ画素信号毎にＡ／Ｄ変換を複数回行い、次いで、各有効画素信号に対してＡ／Ｄ変換を一回行う。複数回Ａ／Ｄ変換された各回分のＯＰＢ画素信号はＤＳＰ４１を介してバッファメモリ４２に転送されてＯＰＢ画素毎に加算・バッファされる。また、一回Ａ／Ｄ変換された各有効画素信号はＤＳＰ４１を介してバッファメモリ４２に転送されてバッファされる。
【００３６】
［図３のＳ１５（基準黒レベル信号の取得）］
本処理ステップＳ１５では、有効画素信号の黒レベルを補正するための基準黒レベル信号が取得される。具体的には、加算・バッファされたＯＰＢ画素信号毎に平均値（以下、「平均ＯＰＢ画素信号」と記す。）が計算される。計算された全ての平均ＯＰＢ画素信号の中から選択される１つの代表値又は平均ＯＰＢ画素信号の平均値（全ての平均ＯＰＢ画素信号を加算し平均化して得た値）が基準黒レベル信号として取得される。
【００３７】
ここで、Ａ／Ｄ変換回路２７では、抵抗ノイズ及びｋＴ／Ｃノイズのために内部的にある程度のｒｍｓ（root mean square）ノイズ（入力換算ノイズ）が生じる。同じＤＣレベルを複数回Ａ／Ｄ変換した場合の入力換算ノイズの分布は正規分布に従う。
【００３８】
全てのＯＰＢ画素信号の出力レベルをＸと定義した場合を考える。この場合、Ａ／Ｄ変換後のＯＰＢ画素信号の分布は、Ａ／Ｄ変換時のノイズの影響により平均Ｘ、分散Ｖの正規分布を示す。更に、各ＯＰＢ画素信号に対してＡ／Ｄ変換を二回行いそれらを加算することを考える。一回目の平均、分散をそれぞれＸ１、Ｖ１と定義し、二回目の平均、分散をそれぞれ、Ｘ２、Ｖ２と定義すると、一回目と二回目の分布を加算した場合の正規分布の平均、分散はそれぞれ、性質（再生性）上、Ｘ１＋Ｘ２、Ｖ１＋Ｖ２となる。Ｘ１＝Ｘ２＝Ｘ、Ｖ１＝Ｖ２＝Ｖと考えると、平均２Ｘ、分散２Ｖの正規分布となる。
【００３９】
一般に、分散の平方根をとったもの（標準偏差）がノイズとして表される。そのため、一回目と二回目の正規分布を加算したときのノイズは√（２Ｖ）となり、平均化（２で除算）したときのノイズは１／√（２Ｖ）となる。一方、出力レベルは、平均化（２で除算）によりＸとなる。すなわち、分布を加算して平均化すると、ＯＰＢ画素信号の出力レベルはその前後で変わらない（１倍である）一方、ノイズは減少する（１／√（２）倍となる）。ノイズは、加算をｎ回繰り返すほど減少する（１／√（ｎ）倍となる）。なお、正規分布の再生性については、例えば、非特許文献１（平成２５年１１月１３日検索、インターネット＜ＵＲＬ：http://www43.atwiki.jp/actuary-seminar?cmd=upload&act=open&pageid=13&file=reproductive_property.pdf＞）にて参照することができる。
【００４０】
なお、ランダムノイズは、上述したように、撮像素子１６のＩＳＯ感度が高かったり、撮像素子１６の温度が上昇したり、撮像素子１６の露光時間が長秒化したりするほど大きくなる。そこで、同一のＯＰＢ画素信号に対するＡ／Ｄ変換の実施の回数は、少なくとも１つの条件がノイズに不利に働くほど（ＩＳＯ感度が高いほど、撮像素子１６の温度が高いほど、露光時間が長秒化するほど）増やしてもよい。
【００４１】
［図３のＳ１６（通常のＡ／Ｄ変換）］
図３の処理ステップＳ１３（撮影条件の判定）にて所定の撮影条件が満たされないと判定された場合（Ｓ１３：ＮＯ）、ランダムノイズの発生が多くないものとみなされる。この場合、本処理ステップＳ１６において、Ａ／Ｄ変換回路２７は、処理負荷軽減のため、撮像素子１６より入力される各画素（ＯＰＢ画素・有効画素）の画素信号に対してＡ／Ｄ変換を一回だけ行う。一回Ａ／Ｄ変換された各画素信号はＤＳＰ４１を介してバッファメモリ４２に転送されてバッファされる。
【００４２】
［図３のＳ１７（基準黒レベル信号の取得）］
本処理ステップＳ１７では、有効画素信号の黒レベルを補正するための基準黒レベル信号が取得される。具体的には、バッファメモリ４２にバッファされた全てのＯＰＢ画素信号の中から選択される１つの代表値又はＯＰＢ画素信号の平均値（全てのＯＰＢ画素信号を加算し平均化して得た値）が基準黒レベル信号として取得される。
【００４３】
なお、ユーザは、操作部材３２を介して図３の処理ステップＳ１３（撮影条件の判定）の実行の可否を設定することができる。当該判定処理の実行がＯＦＦに設定されると、処理ステップＳ１２（露光の終了）の次は、処理ステップＳ１３（撮影条件の判定）が実行されることなく、処理ステップＳ１６（通常のＡ／Ｄ変換）以降が順次実行される。
【００４４】
［図３のＳ１８（有効画素信号の補正）］
本処理ステップＳ１８では、図３の処理ステップＳ１５又はＳ１７（基準黒レベル信号の取得）にて取得された基準黒レベル信号に基づいて有効画素信号の黒レベルが補正される。
【００４５】
［図３のＳ１９（撮影画像データの生成及び保存）］
本処理ステップＳ１９では、ＤＳＰ４１が黒レベル補正後の有効画素信号に基づいて撮影画像データを生成し、生成された撮影画像データをメモリカード５０（又は撮影装置１に備えられる不図示の内蔵メモリ）に保存する。これにより、図３の画像生成フローが終了する。
【００４６】
このように、図３の画像生成フローでは、同一のＯＰＢ画素信号に対してＡ／Ｄ変換が複数回行われて各回の出力が加算され平均化されることにより、各ＯＰＢ画素信号に含まれるノイズが減少する。そのため、精度の高い基準黒レベル信号が取得される。また、従来の処理に対して各ＯＰＢ画素信号のＡ／Ｄ変換が複数回行われるだけであるため、処理時間の増加が極力抑えられると共にノイズの検出及び検出ノイズの補正を行うというノイズ検出・補正回路も必要とならない。また、ＯＰＢ画素と有効画素との構造自体を変える必要もない。ＯＰＢ画素のゲート幅及びゲート長を大きくする必要もないため、高画素化に伴う画素の高密度化で不利になる問題も避けられる。
【００４７】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００４８】
本実施形態では、撮像素子１６、Ａ／Ｄ変換回路２７及びバッファメモリ４２が別体の要素として構成されているが、別の実施形態では、Ａ／Ｄ変換回路２７及びバッファメモリ４２は撮像素子１６に搭載されたものであってもよい。
【符号の説明】
【００４９】
１  撮影装置
１０  撮影レンズ系
１１、１２  撮影レンズ
１３  絞り
１４  ミラー
１５  フォーカルプレーンシャッタ
１６  撮像素子
１７  ペンタプリズム
１８  拡散板
１９  接眼レンズ
２１  レンズ制御回路
２２  絞り駆動回路
２３  ミラー駆動回路
２４  シャッタ駆動回路
２５  ＡＦセンサ
２６  測光センサ
２７  Ａ／Ｄ変換回路
２８  温度センサ
３１  ＣＰＵ
３２  操作部材
３３  状態表示装置
４１  ＤＳＰ
４２  バッファメモリ
４３  カードインタフェース
４４  モニタインタフェース
４５  ＬＣＤ制御回路
４６  ＬＣＤ
４７  バックライト
５０  メモリカード
【図１】
2015104102.tif 000003
【図２】
2015104102.tif 000004
【図３】
2015104102.tif 000005